【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
四肢上における外科手術の間に使用するための手術台付属品であって、
手術台上に搭載された構成要素（１００）であって、前記構成要素は、患者支持体（１０３）を含む、構成要素と、
連接された四肢支持体（２０５）を含む床置型構成要素（２００）と、
前記２つの構成要素上の協働式位置決め特徴（１１８、２１２）と
を備え、
前記協働式位置決め特徴は、前記患者支持体が前記患者の体重の少なくとも一部を支持している状態で、前記連接された四肢支持体が、前記四肢を支持および操作するように適切に位置付けられるように、前記構成要素を互に対して位置決めするように適合され、
前記協働式位置決め特徴は、前記構成要素を互に対して継続的に位置決めしながら、前記台が、前記床置型構成要素に対して傾斜されることを可能にするように構成されている、手術台付属品。
【請求項２】
一方の構成要素は、位置決め特徴として切り欠き（１１８）を有する第１の部品を備え、
他方の構成要素は、位置決め特徴として一対の外向きに面した誘導チャネル（２１７）を両側に有する第２の部品（２１２）を備え、各誘導チャネルは、外向きに面した基部表面（２２０）を有し、
前記切り欠きおよび前記誘導チャネルは、前記切り欠き内への前記第２の部品の受け取りと、それぞれの誘導チャネル内への前記切り欠きの両側に隣接する前記第１の部品の周縁の受け取りとによって、前記２つの構成要素を互に対して位置決めするように適合され、
前記誘導チャネルおよび前記切り欠きの両側に隣接する前記第１の部品の周縁は、前記２つの部品が、互に対して傾斜することを可能にするように成形され、したがって、前記構成要素を互に対して継続的に位置決めしながら、前記台が、前記床置型構成要素に対して傾斜されることを可能にする、
請求項１に記載の手術台付属品。
【請求項３】
前記第１の部品は、前記台搭載型構成要素（１００）の一部であり、前記第２の部品は、前記床置型構成要素（２００）の一部である、請求項２に記載の手術台付属品。
【請求項４】
前記床置型構成要素は、
実質的に垂直な抗力支柱（２０４）と、
前記抗力支柱上に搭載されることができるスラスト要素（２１２）と
を備えている、請求項１−３のいずれかに記載の手術台付属品。
【請求項５】
前記スラスト要素は、前記抗力支柱の摺動受け取りのための垂直ボア（２１５）と、前記垂直ボアから水平に離間されたスラスト表面とを有するスラストスペーサ（２１２）である、請求項４に記載の手術台付属品。
【請求項６】
前記患者支持体（１０３）は、位置決め特徴として切り欠き（１１８）を有し、
前記スラスト要素は、位置決め特徴として一対の外向きに面した誘導チャネルを両側に有し、各誘導チャネルは、外向きに面した基部表面を有し、
前記切り欠きおよび前記誘導チャネルは、前記切り欠き内への前記スラスト要素の受け取りと、それぞれの誘導チャネル内への前記切り欠きの両側に隣接する前記患者支持体の周縁の受け取りとによって、前記２つの構成要素を互に対して位置決めするように適合され、
前記誘導チャネルおよび前記切り欠きの両側に隣接する前記患者支持体の周縁は、前記患者支持体および前記スラスト要素が、互に対して傾斜することを可能にするように成形され、したがって、前記構成要素を互に対して継続的に位置決めしながら、前記台が、前記床置型構成要素に対して傾斜されることを可能にする、
請求項４または請求項５に記載の手術台付属品。
【請求項７】
前記スラスト要素は、前記抗力支柱を上下に摺動させるように適合され、したがって、前記位置決め特徴が前記構成要素を互に対して継続的に位置決めしながら、前記台が、前記床置型構成要素に対して上昇および降下されることを可能にする、請求項４−６のいずれかに記載の手術台付属品。
【請求項８】
前記スラスト要素は、上側および下側区画（２１３、２１４）と、前記抗力支柱の摺動受け取りのための垂直ボア（２１５）とを有するスラストスペーサ（２１２）であり、
前記上側区画は、前記垂直ボアから水平に離間されたスラスト表面（２１６）を有し、
前記下側区画は、前記誘導チャネル（２１７）を両側に有する、
請求項６または請求項７に記載の手術台付属品。
【請求項９】
前記患者支持体および前記スラスト要素は、放射線透過性である、請求項６−８のいずれかに記載の手術台付属品。
【請求項１０】
前記周縁は、実質的に平坦であり、前記誘導チャネルは、凸状である、請求項２、３、および６−９のいずれかに記載の手術台付属品。
【請求項１１】
前記誘導チャネルは、その上側および下側表面両方において、凸状である、請求項１０に記載の手術台付属品。
【請求項１２】
前記切り欠きの両側（１１９）および前記誘導チャネルの基部表面（２１８、２１９）は、場合によって、前記第１の部品または患者支持体と前記第２の部品またはスラスト要素との間の垂直軸を中心とする相対的回転を制約するよう協働するように適合されている、請求項２、３、および６−１１のいずれかに記載の手術台付属品。
【請求項１３】
前記切り欠きの両側は、実質的に直線であり、
前記誘導チャネルの基部表面は、実質的に直線であり、
前記切り欠きの両側間の角度は、前記誘導チャネルの基部表面間の角度に実質的に等しい、
請求項１２に記載の手術台付属品。
【請求項１４】
前記切り欠きの両側は、実質的に平行であり、前記誘導チャネルの基部表面は、実質的に平行である、請求項１３に記載の手術台付属品。
【請求項１５】
四肢上における外科手術の間に使用するための手術室機器であって、
患者支持体（１０３）を有する手術台と、
連接された四肢支持体（２０５）を含む床置型付属品（２００）と、
前記台の前記患者支持体および前記付属品上の協働式位置決め特徴（１１８、２１２）であって、前記協働式位置決め特徴は、前記患者支持体が前記患者の体重を支持している状態で、前記連接された四肢支持体が、前記四肢を支持および操作するように適切に位置付けられるように、それらを互に対して位置決めするように適合されている、協働式位置決め特徴と
を備え、前記協働式位置決め特徴は、前記台および前記付属品を互に対して継続的に位置決めしながら、前記台が、前記付属品に対して傾斜されることを可能にするように構成されている、手術室機器。
【請求項１６】
四肢上における外科手術のための手術台を準備する方法であって、
連接された四肢支持体（２０５）を含む床置型付属品（２００）を前記手術台に隣接して位置付けることと、
前記台の患者支持体（１０３）上の位置決め特徴（１１８）を前記床置型付属品上の協働式位置決め特徴まで差し出し、前記患者支持体が前記患者の体重を支持している状態で、前記連接された四肢支持体が、前記四肢を支持および操作するように適切に位置付けられるように、それらを互に対して位置決めすることと
を含み、前記協働式位置決め特徴は、前記構成要素を互に対して継続的に位置決めしながら、前記台が、前記床置型構成要素に対して傾斜されることを可能にするように構成されている、方法。
【請求項１７】
患者支持体を含む、付属品構成要素（１００）を前記台上に搭載することをさらに含み、前記台上の位置決め特徴は、前記台搭載型付属品構成要素の位置決め特徴である、請求項１６に記載の方法。
【請求項１８】
前記付属品構成要素を前記台上に搭載することは、前記台搭載型付属品構成要素の位置決め特徴を前記床置型付属品上の前記協働式位置決め特徴まで差し出すことを伴う、請求項１７に記載の方法。
【請求項１９】
前記台は、その上に、患者支持体を含む延在可能付属品構成要素を搭載しており、前記台上の位置決め特徴は、前記延在可能付属品構成要素を延在させることによって、前記床置型付属品上の前記協働式位置決め特徴まで差し出される、請求項１６に記載の方法。
【請求項２０】
前記延在可能付属品構成要素は、位置決め特徴として切り欠き（１１８）を有し、
前記床置型付属品は、位置決め特徴として一対の外向きに面した誘導チャネル（２１７）を両側に有する位置決め部品（２１２）を備え、各誘導チャネルは、外向きに面した基部表面（２２０）を有し、
前記切り欠きおよび前記誘導チャネルは、前記位置決め部品を前記切り欠き内に受け取ることと、前記切り欠きの両側に隣接する前記延在可能付属品構成要素の周縁をそれぞれの誘導チャネル内に受け取ることとによって、互に差し出され、
前記誘導チャネルおよび前記切り欠きの両側に隣接する前記患者支持体の周縁は、前記患者支持体および前記スラスト要素が、互に対して傾斜することを可能にするように成形され、したがって、前記構成要素を互に対して継続的に位置決めしながら、前記台が、前記床置型構成要素に対して傾斜されることを可能にする、
請求項１９に記載の方法。
【請求項２１】
前記床置型構成要素は、
実質的に垂直な抗力支柱（２０３）と、
前記抗力支柱上に搭載されることができるスラスト要素（２１２）と
を備え、
前記スラスト要素は、前記位置決め部品である、請求項２０に記載の方法。
【手続補正２】
【補正対象書類名】明細書
【補正対象項目名】００２０
【補正方法】変更
【補正の内容】
【００２０】
本発明は、例えば、以下を提供する：
（項目１）
四肢上における外科手術の間に使用するための手術台付属品であって、
手術台上に搭載された構成要素であって、前記構成要素は、患者支持体を含む、構成要素と、
連接された四肢支持体を含む床置型構成要素と、
前記２つの構成要素上の協働式位置決め特徴と
を備え、
前記協働式位置決め特徴は、前記患者支持体が前記患者の体重の少なくとも一部を支持している状態で、前記連接された四肢支持体が、前記四肢を支持および操作するように適切に位置付けられるように、前記構成要素を互に対して位置決めするように適合され、
前記協働式位置決め特徴は、前記構成要素を互に対して継続的に位置決めしながら、前記台が、前記床置型構成要素に対して傾斜されることを可能にするように構成されている、手術台付属品。
（項目２）
一方の構成要素は、位置決め特徴として切り欠きを有する第１の部品を備え、
他方の構成要素は、位置決め特徴として一対の外向きに面した誘導チャネルを両側に有する第２の部品を備え、各誘導チャネルは、外向きに面した基部表面を有し、
前記切り欠きおよび前記誘導チャネルは、前記切り欠き内への前記第２の部品の受け取りと、それぞれの誘導チャネル内への前記切り欠きの両側に隣接する前記第１の部品の周縁の受け取りとによって、前記２つの構成要素を互に対して位置決めするように適合され、
前記誘導チャネルおよび前記切り欠きの両側に隣接する前記第１の部品の周縁は、前記２つの部品が、互に対して傾斜することを可能にするように成形され、したがって、前記構成要素を互に対して継続的に位置決めしながら、前記台が、前記床置型構成要素に対して傾斜されることを可能にする、
項目１に記載の手術台付属品。
（項目３）
前記第１の部品は、前記台搭載型構成要素の一部であり、前記第２の部品は、前記床置型構成要素の一部である、項目２に記載の手術台付属品。
（項目４）
前記床置型構成要素は、
実質的に垂直な抗力支柱と、
前記抗力支柱上に搭載されることができるスラスト要素と
を備えている、項目１−３のいずれかに記載の手術台付属品。
（項目５）
前記スラスト要素は、前記抗力支柱の摺動受け取りのための垂直ボアと、前記垂直ボアから水平に離間されたスラスト表面とを有するスラストスペーサである、項目４に記載の手術台付属品。
（項目６）
前記患者支持体は、位置決め特徴として切り欠きを有し、
前記スラスト要素は、位置決め特徴として一対の外向きに面した誘導チャネルを両側に有し、各誘導チャネルは、外向きに面した基部表面を有し、
前記切り欠きおよび前記誘導チャネルは、前記切り欠き内への前記スラスト要素の受け取りと、それぞれの誘導チャネル内への前記切り欠きの両側に隣接する前記患者支持体の周縁の受け取りとによって、前記２つの構成要素を互に対して位置決めするように適合され、
前記誘導チャネルおよび前記切り欠きの両側に隣接する前記患者支持体の周縁は、前記患者支持体および前記スラスト要素が、互に対して傾斜することを可能にするように成形され、したがって、前記構成要素を互に対して継続的に位置決めしながら、前記台が、前記床置型構成要素に対して傾斜されることを可能にする、
項目４または項目５に記載の手術台付属品。
（項目７）
前記スラスト要素は、前記抗力支柱を上下に摺動させるように適合され、したがって、前記位置決め特徴が前記構成要素を互に対して継続的に位置決めしながら、前記台が、前記床置型構成要素に対して上昇および降下されることを可能にする、項目４−６のいずれかに記載の手術台付属品。
（項目８）
前記スラスト要素は、上側および下側区画と、前記抗力支柱の摺動受け取りのための垂直ボアとを有するスラストスペーサであり、
前記上側区画は、前記垂直ボアから水平に離間されたスラスト表面を有し、
前記下側区画は、前記誘導チャネルを両側に有する、
項目６または項目７に記載の手術台付属品。
（項目９）
前記患者支持体および前記スラスト要素は、放射線透過性である、項目６−８のいずれかに記載の手術台付属品。
（項目１０）
前記周縁は、実質的に平坦であり、前記誘導チャネルは、凸状である、項目２、３、および６−９のいずれかに記載の手術台付属品。
（項目１１）
前記誘導チャネルは、その上側および下側表面両方において、凸状である、項目１０に記載の手術台付属品。
（項目１２）
前記切り欠きの両側および前記誘導チャネルの基部表面は、場合によって、前記第１の部品または患者支持体と前記第２の部品またはスラスト要素との間の垂直軸を中心とする相対的回転を制約するよう協働するように適合されている、項目２、３、および６−１１のいずれかに記載の手術台付属品。
（項目１３）
前記切り欠きの両側は、実質的に直線であり、
前記誘導チャネルの基部表面は、実質的に直線であり、
前記切り欠きの両側間の角度は、前記誘導チャネルの基部表面間の角度に実質的に等しい、
項目１２に記載の手術台付属品。
（項目１４）
前記切り欠きの両側は、実質的に平行であり、前記誘導チャネルの基部表面は、実質的に平行である、項目１３に記載の手術台付属品。
（項目１５）
四肢上における外科手術の間に使用するための手術台付属品であって、
手術台上に搭載された構成要素であって、前記構成要素は、患者支持体を含む、構成要素と、
床置型構成要素であって、前記床置型構成要素は、
実質的に垂直な抗力支柱と、
スラスト表面を有するスラストスペーサであって、前記スラストスペーサは、前記抗力支柱上に搭載されるよう適合され、前記スラスト表面は、前記抗力支柱から水平に離間されている、スラストスペーサと、
連接された四肢支持体と、
を含む、床置型構成要素と、
前記患者支持体および前記スラストスペーサ上の協働式位置決め特徴であって、前記協働式位置決め特徴は、前記患者支持体が前記患者の体重の少なくとも一部を支持している状態で、前記連接された四肢支持体が、前記四肢を支持および操作するように適切に位置付けられるように、前記構成要素を互に対して位置決めするように適合されている、協働式位置決め特徴と
を備え、
前記患者支持体および前記スラストスペーサは、放射線透過性である、手術台付属品。
（項目１６）
前記スラストスペーサが、前記抗力支柱の摺動受け取りのための垂直ボアを有し、前記スラスト表面は、前記垂直ボアから水平に離間されている、項目１５に記載の手術台付属品。
（項目１７）
前記患者支持体は、位置決め特徴として切り欠きを有し、
前記スラストスペーサは、位置決め特徴として一対の外向きに面した誘導チャネルを両側に有し、各誘導チャネルは、外向きに面した基部表面を有し、
前記切り欠きおよび前記誘導チャネルは、前記切り欠き内への前記スラスト要素の受け取りと、それぞれの誘導チャネル内への前記切り欠きの両側に隣接する前記患者支持体の周縁の受け取りとによって、前記２つの構成要素を互に対して位置決めするように適合されている、
項目１４または項目１５に記載の手術台付属品。
（項目１８）
前記スラストスペーサは、上側および下側区画と、前記抗力支柱の摺動受け取りのための垂直ボアとを有し、
前記スラスト表面は、前記上側区画上にあり、前記垂直ボアから水平に離間され、
前記下側区画は、前記誘導チャネルを両側に有する、
項目１７に記載の手術台付属品。
（項目１９）
前記患者支持体への取り付けのためのＸ線グリッドをさらに備えている、項目９および１５−１８のいずれかに記載の手術台付属品。
（項目２０）
前記患者支持体は、Ｘ線グリッドを組み込む、項目９および１５−１８のいずれかに記載の手術台付属品。
（項目２１）
前記患者支持体が前記患者の体重の少なくとも一部を支持している状態で、前記連接された四肢支持体が、前記四肢を支持および操作するように適切に位置付けられるような位置に、前記２つの構成要素を可逆的に保定する手段をさらに備えている、項目１−２０のいずれかに記載の手術台付属品。
（項目２２）
四肢上における外科手術の間に使用するための手術台付属品であって、
手術台上に搭載された構成要素であって、前記構成要素は、患者支持体を含む、構成要素と、
実質的に垂直な抗力支柱と、
連接された四肢支持体と
を含む、床置型構成要素と、
前記患者支持体が前記患者の体重の少なくとも一部を支持している状態で、前記連接された四肢支持体が、前記四肢を支持および操作するように適切に位置付けられるように、前記構成要素を互に対して位置決めするように適合されている、前記２つの構成要素上の協働式位置決め特徴と、
器具トレイと、
前記器具トレイを前記抗力支柱に可逆的に取り付ける手段と
を備えている、手術台付属品。
（項目２３）
前記四肢支持体は、前記抗力支柱上に搭載され、それに対して旋回するように適合されている、項目４−９、１５−２０、および２２のいずれかに記載の手術台付属品。
（項目２４）
前記四肢支持体を前記抗力支柱に対して可逆的に係止し、前記四肢支持体が旋回することを防止する手段をさらに備えている、項目２３に記載の手術台付属品。
（項目２５）
前記四肢支持体は、前記四肢支持体が、上昇および降下されることを可能にする近位連接部を備えている、項目１−２４のいずれかに記載の手術台付属品。
（項目２６）
前記四肢支持体は、例えば、ガスストラットによって、上向きに付勢される、項目２５に記載の手術台付属品。
（項目２７）
前記近位連接部は、解除可能ラチェット機構を備え、前記解除可能ラチェット機構は、前記四肢支持体が上昇されることを可能にするが、前記ラチェット機構が解除されるまで、前記四肢支持体が降下されることを可能にしない、項目２５または項目２６に記載の手術台付属品。
（項目２８）
前記四肢支持体は、前記ラチェット機構を解除するように動作可能な遠位解除アクチュエータを備えている、項目２７に記載の手術台付属品。
（項目２９）
前記床置型構成要素は、第２の連接された四肢支持体をさらに備えている、項目１−２８のいずれかに記載の手術台付属品。
（項目３０）
前記床置型構成要素は、第２の連接された四肢支持体をさらに備え、前記第１および第２の連接された四肢支持体は、前記抗力支柱の両側に搭載される、項目４−９、１５−２０、および２２−２８のいずれかに記載の手術台付属品。
（項目３１）
前記床置型構成要素は、
所定の経路に沿って前記四肢支持体に対して移動可能である搬台であって、前記搬台は、前記四肢を保持する受台を係合するように適合されている、搬台と、
前記所定の経路に沿って分布されているいくつかの位置のうちの任意の１つにおいて、前記搬台を前記四肢支持体に係止し、したがって、前記経路に沿った前記搬台の移動を防止するように適合されている相互係止デバイスと
をさらに備えている、項目１−３０のいずれかに記載の手術台付属品。
（項目３２）
前記相互係止デバイスは、移動可能構成要素および静止構成要素を含み、一方は、前記搬台上に、他方は、前記四肢支持体上にあり、
前記移動可能構成要素は、前記静止構成要素を係合するアクティブ位置と、前記静止構成要素を係合しない非アクティブ位置との間で移動可能であり、
前記静止構成要素は、そのアクティブ位置にあるとき、前記移動可能構成要素を受け取るように適合されている複数の陥凹を含む、
項目３１に記載の手術台付属品。
（項目３３）
四肢上における外科手術の間に使用するための手術台付属品であって、
四肢支持体と、
所定の経路に沿って前記四肢支持体に対して移動可能である搬台であって、前記搬台は、前記四肢を保持する受台を係合するように適合されている、搬台と、
前記所定の経路に沿って分布されているいくつかの位置のうちの任意の１つにおいて、前記搬台を前記四肢支持体に係止し、したがって、前記経路に沿った前記搬台の移動を防止するように適合されている相互係止デバイスと
を備え、前記搬台は、前記所定の経路に沿って前記搬台を移動させることなく、前記四肢支持体に対する前記搬台の限定された移動範囲が可能であるように、ある程度の遊びを伴って前記四肢支持体上に搭載され、
前記相互係止デバイスは、前記遊びの程度に対応するように構築され、前記限定された移動範囲全体を通して前記搬台を前記四肢支持体に係止可能である、
手術台付属品。
（項目３４）
四肢上における外科手術の間に使用するための手術台付属品であって、
四肢支持体と、
前記四肢を保持するように適合されている受台と、
前記四肢部材および前記四肢受台上の協働式保定特徴であって、前記保定特徴の一方は、他方の保定特徴の受け取りのための開放端と、他方の保定特徴を可逆的に保定する手段を含む閉鎖端とを伴うチャネルを備えている、保定特徴と
を備え、前記チャネルのサイズは、前記チャネルの開放端内への他方の保定特徴の受け取りを促進するように、前記閉鎖端から前記開放端へと増加し、それに応じて、他方の保定特徴は、前記チャネルに沿って前記閉鎖端へと運搬および誘導され、前記可逆的保定手段によって、前記閉鎖端における定位置に保定されることができる、手術台付属品。
（項目３５）
前記四肢支持体上の保定特徴は、所定の経路に沿って前記四肢支持体に対して移動可能である搬台上の保定特徴である、項目３４に記載の手術台付属品。
（項目３６）
前記搬台は、前記所定の経路に沿って前記搬台を移動させることなく、前記四肢支持体に対する前記搬台の限定された移動範囲が可能であるように、ある程度の遊びを伴って前記四肢支持体上に搭載され、
前記相互係止デバイスは、前記遊びの程度に対応するように構築され、前記限定された移動範囲全体を通して前記搬台を前記四肢支持体に係止可能である、
項目３１−３３および３５に記載の手術台付属品。
（項目３７）
前記四肢支持体に対する前記搬台の限定された移動範囲は、前記所定の経路に対する横方向の前記搬台の限定された揺動を含み、
前記相互係止デバイスは、移動可能構成要素および静止構成要素を含み、一方は、前記搬台上に、他方は、前記四肢支持体上にあり、前記移動可能構成要素は、前記静止構成要素を係合するアクティブ位置と、前記静止構成要素を係合しない非アクティブ位置との間で移動可能であり、
前記静止構成要素は、そのアクティブ位置にあるとき、前記移動可能構成要素を受け取るように適合されている複数の陥凹を含み、前記所定の経路の方向に測った前記陥凹のサイズは、前記所定の経路に対して横方向に測った前記陥凹のサイズが、前記移動可能構成要素の対応するサイズを超える量未満の量だけ、前記移動可能構成要素の対応するサイズを超える、
項目３６に記載の手術台付属品。
（項目３８）
前記所定の経路は、前記四肢支持体上のトラックによって画定され、前記搬台は、前記トラックを移動可能に係合するシャーシを含む、項目３１−３３および３５−３７のいずれかに記載の付属品。
（項目３９）
前記搬台は、その質量中心が、従動子と前記トラックとの間の接点の一方の側にある第１の構成と、その質量中心が他方の側にある第２の構成との間で再構成可能である、項目３８に記載の付属品。
（項目４０）
前記搬台は、上部構造をさらに含み、前記上部構造は、前記四肢受台を係合し、それぞれ、前記搬台の第１および第２の構成に対応する第１の位置と第２の位置との間の移動のために、前記シャーシ上に搭載されるように適合されている、項目３９に記載の付属品。
（項目４１）
前記搬台は、前記四肢受台上の対応する保定特徴を係合するように適合されている保定特徴と、前記所定の経路と実質的に整合されている方向に、前記保定特徴を前記搬台に対して前進および後退させる手段とを含む、項目３１−３３および３５−４０のいずれかに記載の付属品。
（項目４２）
前記保定特徴を前進および後退させる手段は、送りネジアクチュエータを含む、項目４１に記載の付属品。
（項目４３）
前記送りネジは、ハンドホイールによって駆動され、前記保定特徴は、前記送りネジナットに接続されている、項目４２に記載の付属品。
（項目４４）
前記搬台は、前記四肢受台上の対応する保定特徴を係合するように適合されている保定特徴を含み、前記保定特徴は、前記所定の経路と実質的に整合されている軸を中心として、前記搬台に対して回転可能であり、したがって、前記四肢受台が、前記四肢支持体に対して回転することを可能にする、項目３１−３３および３５−４３のいずれかに記載の付属品。
（項目４５）
前記保定特徴の回転を防止する係止手段をさらに備えている、項目４４に記載の付属品。
（項目４６）
四肢を保持するように適合されている四肢受台であって、
四肢支持体の保定特徴の受け取りのための開放端と、前記保定特徴を可逆的に保定する手段を含む閉鎖端とを伴う保定チャネルを備え、
前記チャネルのサイズは、前記チャネルの開放端内への他方の保定特徴の受け取りを促進するように、前記閉鎖端から前記開放端へと増加し、それに応じて、他方の保定特徴は、前記チャネルに沿って前記閉鎖端へと運搬および誘導され、前記可逆的保定手段によって、前記閉鎖端における定位置に掛止されることができる、四肢受台。
（項目４７）
四肢上における外科手術の間に使用するための手術台付属品であって、
四肢支持体と、
所定の経路に沿って前記四肢支持体に対して移動可能であり、前記四肢を保持する受台を係合するように適合されている搬台と、
前記四肢支持体上の所定の経路に沿う、またはそれに隣接している目盛と、
前記目盛を読み取り、前記所定の経路に沿った前記搬台の位置を示す情報を表示するように適合されている、前記搬台上のディスプレイデバイスと
を備えている、手術台付属品。
（項目４８）
前記目盛は、一連の等しく離間された検出可能マーカーを備え、前記ディスプレイデバイスは、越えて移動したマーカーの数を計数し、その数を示す情報を表示する手段を備えている、項目４７に記載の手術台付属品。
（項目４９）
前記検出可能マーカーは、光学的または磁気的に検出可能であり、前記ディスプレイデバイスは、光学または磁気検出器を備えている、項目４８に記載の手術台付属品。
（項目５０）
前記所定の経路に沿った前記搬台の位置を示す情報は、前記搬台の任意の位置でリセットされることができる、項目４７−４９のいずれかに記載の手術台付属品。
（項目５１）
前記計数手段によって維持されるカウントは、前記搬台の任意の位置でリセットされることができる、項目４８または項目４９に記載の手術台付属品。
（項目５２）
前記ディスプレイデバイスは、前記情報またはカウントをリセットするためのリセットボタンを含む、項目５０または項目５１に記載の手術台付属品。
（項目５３）
四肢上における外科手術の間に使用するための手術台付属品であって、
手術台上に搭載された構成要素であって、前記構成要素は、患者支持体を含む、構成要素と、
床置型構成要素であって、前記床置型構成要素は、
連接された四肢支持体と、
前記四肢を保持するように適合されている受台と、
前記四肢支持体および前記四肢受台上の協働式保定特徴と、
を含む、床置型構成要素と、
前記２つの構成要素の一方上の近位四肢パッドと、
前記２つの構成要素上の協働式位置決め特徴であって、前記協働式位置決め特徴は、前記患者支持体が前記患者の体重の少なくとも一部を支持し、前記四肢受台が前記四肢を保持している状態で、前記連接された四肢支持体が、前記四肢を支持および操作するように適切に位置付けられ、前記近位四肢パッドが、前記四肢の近位部分の下方にあるように、前記構成要素を互に対して位置決めするように適合されている、協働式位置決め特徴と、
前記四肢パッドを前記四肢受台に対して可逆的に上昇させ、持ち上げ力を前記四肢の近位部分に加える手段と、
を備えている、手術台付属品。
（項目５４）
前記四肢パッドを前記四肢受台に対して可逆的に上昇させる手段は、前記四肢パッドを前記四肢支持体に対する複数の垂直位置に固定する手段を備えている、項目５３に記載の手術台付属品。
（項目５５）
前記四肢パッドを前記四肢受台に対して可逆的に上昇させる手段は、モータを備えている、項目５３に記載の手術台付属品。
（項目５６）
前記四肢パッドを前記四肢受台に対して可逆的に上昇させる手段は、前記四肢支持体が、上昇および降下されることを可能にする、前記四肢支持体の近位連接部を備えている、項目５３に記載の手術台付属品。
（項目５７）
前記近位四肢パッドは、前記床置型構成要素上にある、項目５３−５６のいずれかに記載の手術台付属品。
（項目５８）
前記四肢パッドは、偏心枢軸を中心とする回転のために搭載され、前記四肢パッドを前記四肢受台に対して可逆的に上昇させる手段は、その偏心枢軸を中心として、前記四肢パッドを可逆的に回転させる手段を備えている、項目５３に記載の手術台付属品。
（項目５９）
前記四肢パッドを前記四肢受台に対して可逆的に上昇させる手段は、その偏心枢軸を中心として、前記四肢パッドを複数の角位置に固定する手段を備えている、項目５３または項目５８に記載の手術台付属品。
（項目６０）
前記近位四肢パッドは、前記台搭載型構成要素上にある、項目５８または項目５９に記載の手術台付属品。
（項目６１）
前記近位四肢パッドは、前記台搭載型構成要素に対する前記偏心枢軸の位置が調節可能であるように、前記台搭載型構成要素上に搭載されている、項目６０に記載の手術台付属品。
（項目６２）
四肢上における外科手術の間に使用するための手術室機器であって、
手術台と、
連接された四肢支持体を含む床置型付属品と、
前記台および前記付属品上の協働式位置決め特徴であって、前記協働式位置決め特徴は、前記手術台が前記患者の体重を支持している状態で、前記連接された四肢支持体が、前記四肢を支持および操作するように適切に位置付けられるように、それらを互に対して位置決めするように適合されている、協働式位置決め特徴と
を備え、前記協働式位置決め特徴は、前記台および前記付属品を互に対して継続的に位置決めしながら、前記台が、前記付属品に対して傾斜されることを可能にするように構成されている、手術室機器。
（項目６３）
四肢上における外科手術の間に使用するための手術室機器であって、
位置決め延在部を含む手術台と、
床置型付属品であって、前記床置型付属品は、
実質的に垂直な抗力支柱と、
スラスト表面を有するスラストスペーサであって、前記スラストスペーサは、前記スラスト表面が、前記抗力支柱から水平に離間されるように、前記抗力支柱上に搭載されるよう適合されている、スラストスペーサと、
連接された四肢支持体と
を含む、床置型付属品と、
前記位置決め延在部および前記スラストスペーサ上の協働式位置決め特徴であって、前記協働式位置決め特徴は、前記台が前記患者の体重を支持している状態で、前記連接された四肢支持体が、前記四肢を支持および操作するように適切に位置付けられるように、前記台および前記床置型付属品を互に対して位置決めするように適合されている、協働式位置決め特徴と
を備え、前記位置決め延在部および前記スラストスペーサは、放射線透過性である、手術室機器。
（項目６４）
四肢上における外科手術の間に使用するための手術室機器であって、
手術台と、
床置型付属品であって、前記床置型付属品は、
実質的に垂直な抗力支柱と、
連接された四肢支持体と
を含む、床置型付属品と、
前記台および前記床置型付属品上の協働式位置決め特徴であって、前記協働式位置決め特徴は、前記台が前記患者の体重を支持している状態で、前記連接された四肢支持体が、前記四肢を支持および操作するように適切に位置付けられるように、それらを互に対して位置決めするように適合されている、協働式位置決め特徴と、
器具トレイと、
前記器具トレイを前記抗力支柱に可逆的に取り付ける手段と
を備えている、手術室機器。
（項目６５）
四肢上における外科手術の間に使用するための手術室機器であって、
手術台と、
床置型構成要素であって、前記床置型構成要素は、
連接された四肢支持体と、
前記四肢を保持するように適合されている受台と、
前記肢支持体および前記四肢受台上の協働式保定特徴と
を含む、床置型構成要素と、
前記台または前記床置型構成要素上の近位四肢パッドと、
前記台および前記床置型付属品上の協働式位置決め特徴であって、前記協働式位置決め特徴は、前記台が前記患者の体重を支持し、前記四肢受台が前記四肢を保持している状態で、前記連接された四肢支持体が、前記四肢を支持および操作するように適切に位置付けられ、前記近位四肢パッドが、前記四肢の近位部分の下方にあるように、それらを互に対して位置決めするように適合されている、協働式位置決め特徴と、
前記四肢パッドを前記四肢受台に対して可逆的に上昇させ、持ち上げ力を前記四肢の近位部分に加える手段と
を備えている、手術室機器。
（項目６６）
四肢上における外科手術の間に使用するために、手術台上に搭載されるべき手術台付属品であって、
前記患者の体重の少なくとも一部を支持するように適合されている患者支持体と、
偏心枢軸を中心とする回転のために、前記付属品上に搭載されている近位四肢パッドと、
を備え、
偏心枢軸を中心とした四肢パッドの回転は、前記四肢パッドを可逆的に上昇させ、持ち上げ力を四肢の近位部分に加える、手術台付属品。
（項目６７）
患者支持体を含む付属品構成要素が、前記台上に搭載されており、前記台上の位置決め特徴は、前記台搭載型付属品構成要素の位置決め特徴である、項目６２−６５のいずれかに記載の機器。
（項目６８）
前記付属品構成要素は、そこから延在可能であるように前記台上に搭載され、前記位置決め特徴は、前記台からの前記付属品構成要素の延在によって、前記患者支持体が前記患者の体重の少なくとも一部を支持している状態で、前記連接された四肢支持体が、前記四肢を支持および操作するように適切に位置付けられるように、それらが接近させられ、前記構成要素を互に対して位置決めすることを可能にするように構成されている、項目６７に記載の機器。
（項目６９）
四肢上における外科手術のための手術台を準備する方法であって、
連接された四肢支持体を含む床置型付属品を前記手術台に隣接して位置付けることと、
前記台上の位置決め特徴を前記床置型付属品上の協働式位置決め特徴まで差し出し、前記台が前記患者の体重を支持している状態で、前記連接された四肢支持体が、前記四肢を支持および操作するように適切に位置付けられるように、それらを互に対して位置決めすることと
を含み、前記協働式位置決め特徴は、前記構成要素を互に対して継続的に位置決めしながら、前記台が、前記床置型構成要素に対して傾斜されることを可能にするように構成されている、方法。
（項目７０）
患者支持体を含む、付属品構成要素を前記台上に搭載することをさらに含み、前記台上の位置決め特徴は、前記台搭載型付属品構成要素の位置決め特徴である、項目６９に記載の方法。
（項目７１）
前記付属品構成要素を前記台上に搭載することは、前記台搭載型付属品構成要素の位置決め特徴を前記床置型付属品上の前記協働式位置決め特徴まで差し出すことを伴う、項目７０に記載の方法。
（項目７２）
前記台は、その上に、患者支持体を含む延在可能付属品構成要素を搭載しており、前記台上の位置決め特徴は、前記延在可能付属品構成要素を延在させることによって、前記床置型付属品上の前記協働式位置決め特徴まで差し出される、項目６９に記載の方法。
（項目７３）
前記延在可能付属品構成要素は、位置決め特徴として切り欠きを有し、
前記床置型付属品は、位置決め特徴として一対の外向きに面した誘導チャネルを両側に有する位置決め部品を備え、各誘導チャネルは、外向きに面した基部表面を有し、
前記切り欠きおよび前記誘導チャネルは、前記位置決め部品を前記切り欠き内に受け取ることと、前記切り欠きの両側に隣接する前記延在可能付属品構成要素の周縁をそれぞれの誘導チャネル内に受け取ることとによって、互に差し出され、
前記誘導チャネルおよび前記切り欠きの両側に隣接する前記患者支持体の周縁は、前記患者支持体および前記スラスト要素が、互に対して傾斜することを可能にするように成形され、したがって、前記構成要素を互に対して継続的に位置決めしながら、前記台が、前記床置型構成要素に対して傾斜されることを可能にする、
項目７２に記載の方法。
（項目７４）
前記床置型構成要素は、
実質的に垂直な抗力支柱と、
前記抗力支柱上に搭載されることができるスラスト要素と
を備え、
前記スラスト要素は、前記位置決め部品である、項目７３に記載の方法。
検討された本発明の１つは、単独で、手術台に対して据え付けることが容易であるが、依然として、台が、その緊急傾斜位置を採用することを可能にする、手術台付属品の使用を可能にする。
【手続補正３】
【補正対象書類名】明細書
【補正対象項目名】００７６
【補正方法】変更
【補正の内容】
【００７６】
患者支持体プレートの形状は、ある寸法（ミリメートル）とともに、図６に最も良く示される。プレートは、全体を通して、１５ｍｍ厚であって、スロット１１０、ボア１１１、および切り込み１０９に加え、位置決め切り欠き１１８を含む。位置決め切り欠き１１８は、平行辺１１９および放射状端１２０を有する。切り欠きは、６８ｍｍ幅である。
【手続補正４】
【補正対象書類名】明細書
【補正対象項目名】００９９
【補正方法】変更
【補正の内容】
【００９９】
図２０は、切断された大腿骨の近位端を上昇させ、大腿管へのアクセスを提供するために使用され得る、大腿骨持ち上げパッド２７２を示す。図示されるように、パッド２７２は、パッドを上昇および降下させ、順に、角ブラケット２７４の側方延在部上に静置する、バッテリ駆動式線形アクチュエータ２７３上に搭載される。角ブラケット２７４の上部は、スラストスペーサ２１２内のスロット内に入れられ、抗力支柱２０４が通過する、延在部部品２７５上で旋回する。角ブラケットは、延在部部品２７５から分断されることによって、または抗力支柱上のスラストスペーサを上昇させ、それを延在部部品２７５の周囲で揺動させることによってのいずれかによって、支柱２０４の他側に揺動されることができる。モータ駆動式パッド２７２が、示されるが、また、手動で移動可能なパッドまたはブラケット２７４に対して複数の垂直位置で固定され得るものを使用することも可能である。伸縮自在ブラケットは、その目的を果たすであろう。代替として、パッド２７２は、固定され、四肢支持梁２０５が、下げられ、上向き力を近位大腿骨に印加することができる。
【手続補正５】
【補正対象書類名】明細書
【補正対象項目名】０１０４
【補正方法】変更
【補正の内容】
【０１０４】
手術が行なわれる前に、患者は、準備され、ガウンが着用され、必要に応じて、事前に薬物が投与され、鎮静および麻酔がかけられる。本明細書に提示される機器を伴う手技のために、本プロセスは、保護鞘２１１を手術対象脚部の足に嵌合するステップを伴うであろう。例えば、保護鞘内に保定される、成形された炭素繊維タング座埋め金（図１８）を覆うように、Ｖｅｌｃｒｏ（登録商標）ストラップが、本目的のために提供され、足の背側表面を介した脚部への牽引力の印加のための安定抗力表面を提供してもよい。静脈血栓予防ふくらはぎポンプもまた、嵌合される。
【手続補正６】
【補正対象書類名】明細書
【補正対象項目名】０１１７
【補正方法】変更
【補正の内容】
【０１１７】
図２２−２４は、使用されないときは、格納され得る、改良された側面フレーム部材を図示する。これらのうちの１つは、右股関節が手術されているときは、左側部材が展開され、右側部材が格納され、反対もまた然りであるように、台搭載型構成要素の両側に提供されることができる。図２２−２４から分かるように、両側フレーム部材は、ここでは、定常部分４０１と、垂直ヒンジ４０３において、定常部分に取着される、移動可能部分４０２とを含む。ヒンジは、定常および移動可能部分４０１、４０２上の相補的突起４０４と、突起４０４を通過し、その先端上に、ナイロックナット等の係止ナットを具備する、垂直ボルト４０５とによって形成される。ボルトのシャフトは、外筒４０６を通過し、内部支持を突起４０４に提供する。移動可能部分４０２は、図２２に示される展開位置から、図２３に示される格納位置に、定常部分４０１に対して蝶着する。種々のラッチ、戻り止め、または他の保定特徴（図示せず）が、これらの位置の一方または他方、あるいは両方に、移動可能部分を解除可能に保定するために提供され得る。
【手続補正７】
【補正対象書類名】図面
【補正対象項目名】図１
【補正方法】変更
【補正の内容】
【図１】
2014525302.tif 000001
【手続補正８】
【補正対象書類名】図面
【補正対象項目名】図４
【補正方法】変更
【補正の内容】
【図４】
2014525302.tif 000002